(57)【特許請求の範囲】
【請求項１】
シスターンに設けられた排水用操作レバーの回動操作で排水弁を排水口に押し戻すためシスターン内に配設される水洗便器用の排水弁制御器具であって、上記排水弁の天頂部に下端が枢着される棒状部材と、この棒状部材の上端に一端が取り付けられると共に、他端が上記操作レバーのシスターン内における折り曲げ部の先端部に取り付けられる線状の延長部材とで形成され、棒状部材と延長部材とを足した全体の長さが、排水弁と上記折り曲げ部の先端部とにわたされた排水弁引き上げ用の牽引部材より長く形成されると共に、棒状部材が、操作レバーの復帰方向への回動操作で上記の延長部材が引き下げられたとき、この延長部材で引き降ろされて排水弁を排水口への吸引力が働く点まで近づける長さに選定されたことを特徴とする水洗便器用の排水弁制御器具。
【請求項２】
請求項１記載の水洗便器用の排水弁制御器具であって、棒状部材が、上端に延長部材を備えた筒状の本体部と、この本体部の開口状の下端から本体部に挿抜自在に形成された延長杆とで形成され、この延長杆が本体部に止めネジで固定自在に形成されたことを特徴とする水洗便器用の排水弁制御器具。
【請求項３】
請求項１又は２記載の水洗便器用の排水弁制御器具であって、棒状部材が、プラスチック製であることを特徴とする水洗便器用の排水弁制御器具。
【請求項４】
請求項１乃至３の何れかに記載の水洗便器用の排水弁制御器具であって、棒状部材が、操作レバーの復元力を軽減するためのフロートを備えてなることを特徴とする水洗便器用の排水弁制御器具。
【発明の詳細な説明】
【０００１】
【発明の属する技術分野】
本発明は、水洗便器用の排水弁制御器具に関し、更に詳しくは水洗便器に付設したシスターン内に配設し、排水用操作レバーの手動による回動操作で、強制的に排水弁を排水口に押し戻し、排水を停止できるよう形成した水洗便器用の排水弁制御器具に関するものである。
【０００２】
【従来の技術】
従来この種の節水用器具としては、例えば図４に示されるように、シスターンの排水口部ａに取り付ける金具ｂと、この金具ｂの両腕の環状折り返し部ｃを介して牽引方向が反転される線状部材ｄとを備えてなるものがある（例えば実開昭６１ー１４１３７８号公報参照）。
【０００３】
この従来品を使用する場合は、線状部材ｄの上端を、制御杆ｅに取り付けた補助制御杆ｆの先端部に固定し、下端を、金具ｂの環状折り返し部ｃを介して弁体ｇの頂部ｈに輪掛けするものである。
【０００４】
【発明が解決しようとする課題】
ところでこの種の器具は、シスターンの型式や仕様に制約を受けることなく、しかも簡単且つ容易に取り付けて使用できるよう、形成されているのが望ましい。
【０００５】
しかるに従来品は、上記の通り、金具を排水口部に取り付け、線状部材をシスターン内に張架する必要があったから、この種の取付作業に手間暇がかかっただけではなく、例えば排水口部が結露防止用の断熱材で覆われている場合は、取付作業そのものができない、という問題点があった。
【０００６】
又従来品は、操作レバーをほぼ９０度の範囲で回動操作し、排水と止水操作を行なうものであったから、この従来品によると例えば小便時と大便時に、操作レバーを左右何れかの方向へ回動操作して排水量の切り替えを行なうシスターンの場合は、対応することができない、という問題点があった。
【０００７】
本発明は、このような従来品の問題点に鑑み、提案されたものである。
従って本発明の技術的課題は、シスターンの型式、仕様に制約を受けることなく利用でき、取付作業を簡単、容易にできるよう形成した、使い勝手の良い水洗便器用の排水弁制御器具を提供することにある。
【０００８】
【課題を解決するための手段】
本発明は、上記の課題を解決するために、次のような技術的手段を採る。
【０００９】
即ち本発明は、図１に示されるように、シスターン１に設けられた排水用操作レバー２の回動操作で排水弁３を排水口４に押し戻すためシスターン１内に配設される水洗便器用の排水弁制御器具であって、上記排水弁３の天頂部３ａに下端が枢着される棒状部材５と、この棒状部材５の上端に一端が取り付けられると共に、他端が上記操作レバー２のシスターン１内における折り曲げ部８の先端部８ａに取り付けられる線状の延長部材６とで形成され、棒状部材５と延長部材６とを足した全体の長さが、排水弁３と上記折り曲げ部８の先端部８ａとにわたされた排水弁引き上げ用の牽引部材９より長く形成されると共に、棒状部材５が、操作レバー２の復帰方向への回動操作で上記の延長部材６が引き下げられたとき、この延長部材６で引き降ろされて排水弁３を排水口４への吸引力が働く点まで近づける長さに選定されたことを特徴とする（請求項１）。
【００１０】
本発明の場合、全体の長さが牽引部材９より長く形成されているから、図１に示されるように、延長部材６は、止水中、概ね水平の状態にある。延長部材６としては、例えばステンレス撚線やナイロン等の樹脂糸、或いは鎖等があり、柔軟性、屈曲性を有する材料からなるものであれば良い。
【００１１】
又全体の長さが、牽引部材９より長く形成される、とは、排水時は、牽引部材９によって排水口４が開口され、牽引部材９が本発明器具に優先して機能する、ということを意味する。これは、全体の長さが牽引部材９の長さより短いと、本発明器具によって、排水弁３が引き上げられ、牽引部材９が機能しなくなるからである。
【００１２】
又ここで、排水弁３を排水口４への吸引力が働く点まで近づける長さ、とは、排水口４に流れ込む水の吸引力が利用可能な長さ、ということを意味する。この長さは、シスターン１の容積等により適宜選定されるものである。
【００１３】
又本発明の場合、棒状部材５は、図１、図３に示されるように、上端に延長部材６を備えた筒状の本体部５ａと、この本体部５ａの開口状の下端から本体部５ａに挿抜自在に形成された延長杆５ｂとで形成され、この延長杆５ｂが本体部５ａに止めネジ５ｃで固定自在に形成されるのが好ましい（請求項２）。
【００１４】
牽引部材９は、シスターン１の容積や構造によって長さが相違する。従ってこの本発明のように棒状部材５が形成される場合は、全体の長さを簡単に調節できるから、牽引部材９の長さに応じて現場で容易に対応できる、という利点がある。
【００１５】
なお本発明は、止めネジ５ｃが、本体部５ａの下端に形成された拡大径部５ｄに螺合され、頭部５ｃ1が手指で操作自在に形成されるのが好ましい。
【００１６】
この場合は、延長杆５ｂの固定をドライバーによることなく簡単且つ容易にでき、使い勝手が良くなる、という利点がある。
【００１７】
又本発明の場合、棒状部材５は、後述するように、排水弁３の動作を極力妨げることがないよう、軽量であることが望ましいから、プラスチックで形成されると良い（請求項３）。
【００１８】
更に本発明は、棒状部材５が、図３に示されるように、操作レバー２の復元力を軽減するためのフロート１０を備えてなるのが好ましい（請求項４）。
【００１９】
排水方向に回動させた操作レバー２は、自重によって元の垂直状態に戻る復元力を有するが、この力が大きいシスターン１の場合は、この復元力が排水弁３を押し戻すよう作用する。従って請求項４記載の本発明器具の場合は、フロート１０によってこの操作レバー２の復元力を軽減することができるから、これによれば使い勝手が一層向上する。なおフロート１０としては、例えば独立気泡を有するプラスチック材等がある。図３の実施形態の場合は、延長杆５ｂにフロート１０を嵌挿させ、フロート１０が本体部５ａの下端で係止するよう形成したものである。
【００２０】
【発明の実施の形態】
以下、本発明の好適な一実施形態を添付図面に従って説明する。
【００２１】
図１等において、１はシスターンであり、２はこのシスターン１に設けられた排水用の操作レバーである。本発明器具は、シスターン１内に配設され、操作レバー２の回動操作で排水弁３を排水口４に押し戻して強制的に止水するものであり、棒状部材５と線状の延長部材６とで形成されている。
【００２２】
上記の棒状部材５は、操作レバー２の復帰方向への回動操作で上記の延長部材６が引き下げられたとき、この延長部材６で引き降ろされて排水弁３を排水口４への吸引力が働く点まで近づける長さに選定されている。
【００２３】
この実施形態の場合、この棒状部材５はプラスチックで形成され、上端に延長部材６を備えた例えば円筒状の本体部５ａと、この本体部５ａの開口状の下端から本体部５ａに挿抜自在に形成された丸棒状の延長杆５ｂとで形成され、この延長杆５ｂが本体部５ａに止めネジ５ｃで固定自在に形成されている。
【００２４】
上記の止めネジ５ｃは、本体部５ａの下端に形成された拡大径部５ｄに螺合され、頭部５ｃ1が手指で操作自在に形成されている。
【００２５】
又棒状部材５の下端は、排水弁３の天頂部３ａに針金状の止め具７で枢着されている。この止め具７は、図３に示されるように、棒状部材５の下端の貫通孔５ｅから排水弁３の天頂部３ａに通され、抜け止めのため両端が屈曲されている。
【００２６】
又上記の延長部材６は、棒状部材５の上端に一端が取り付けられ、他端が上記操作レバー２のシスターン１内における折り曲げ部８の先端部８ａに取り付けられている。なお延長部材６は、この実施形態の場合、ワイヤで形成されている。
【００２７】
９は、排水弁３と上記折り曲げ部８の先端部８ａとにわたされた排水弁引き上げ用の牽引部材である。本発明器具の場合、棒状部材５と延長部材６とを足した全体の長さは、この牽引部材９より長く形成されている。従って本発明器具は、排水時は何等作用せず、又止水中は図１に示されるように、延長部材６が概ね水平状態になるため、排水弁３が支障を来すこともない。
【００２８】
次に本発明の使用例を説明する。
本発明器具をシスターン１に取り付ける場合は、先ず棒状部材５の下端を排水弁３の天頂部３ａに止め具７で枢着する。次に使用者は、延長部材６の他端を折り曲げ部８の先端部８ａに連結する。なお棒状部材５の長さを調節する場合は、止めネジ５ｃを緩め、延長杆５ｂを挿抜し、再度締め直して行なう。
【００２９】
而して本発明器具は、排水作用には関与せず、排水時は、操作レバー２を左右何れかの方向に回動すると、牽引部材９によって排水弁３が引き上げられ、図２の排水中の過程に至る。
【００３０】
即ち、操作レバー２の回動操作によって牽引部材９を介して排水弁３が引き上げられると排水を開始する。排水弁３が、排水口４に近いときは流れ込む水によって吸引力が働き、この状態で操作レバー２から手を離すと、排水弁３が元の止水位置に戻り、操作レバー２も自重で垂直位置に復帰する。
【００３１】
使用者が、操作レバー２を排水方向に回動させ、水平位置に近づけると、排水弁３は吸引力の働く域を脱し、流れ込む水の勢いで押し上げられる。従って牽引部材９は弛み、排水弁３の天頂部３ａに枢着した棒状部材５が押し上げられ、操作レバー２の折り曲げ部８ａは延長部材６によって釣り上げられる。その結果使用者が操作レバー２から手を離しても、操作レバー２はシスターン１内の水がなくなるまで、ほぼ水平を保つ。
【００３２】
次にこの状態で操作レバー２を強制的に垂直位置に押し下げると、棒状部材５が延長部材６によって押し下げられ、排水弁３は排水による吸引力の域内に入り、排水口４を塞いで排水を停止させる。
【００３３】
なお強制的にレバー２を押し下げない場合、シスターン１内の水がなくなれば、排水弁３を押し上げている水流による浮揚力がなくなるから、排水弁３は自重と本発明器具の重さにより自然に閉弁する。
【００３４】
従って本発明器具は、強制止水の操作方法を知らない人も戸惑うことなく使用できる。又例えば排水弁３を吸引力の働く域内で止めることが可能な、小便時の少量排水機能付きシスターン１の場合も、本発明器具は、小便時の排水操作の際に何等作用せず、又この種の排水操作を妨げることもないから、この点でも使用者に戸惑いや違和感を与えることがない。
【００３５】
【発明の効果】
以上説明したように本発明は、棒状部材と線状の延長部材とで形成され、延長部材を介して棒状部材を引き下げ、排水弁を閉弁するものである。
従って本発明器具は、小便、大便時に排水量を、操作レバーの回動方向の切り替えで可変できるシスターンについても使用できるから、これによればシスターンの型式、仕様に制約を受けることがない。
【００３６】
又本発明の場合は、棒状部材の下端を排水弁に取り付け、延長部材の他端を折り曲げ部の先端部に取り付けるだけでセットできる。
従って本発明は、従来品のように、シスターン内に線状部材を張架したり、線状部材の牽引方向を反転させるための金具を取り付ける必要がないから、従来品に比べ、取付作業の手間暇を軽減でき、セット作業を簡単化、迅速化できる。
【００３７】
なお本発明器具は、上記の通り、牽引部材を無用化するものではなく、又排水弁がその自重や水圧によって通常の速度で閉弁することを妨げるものでもない。従ってこれによれば、本来の排水作用、弁機能に支障を来たすことがないから、強制止水の操作方法を知らない人も、戸惑うことなく使用できる。
【図面の簡単な説明】
【図１】本発明器具の好適な一実施形態を示す止水時の要部側面図である。
【図２】同上器具の作用を説明するための排水中の要部斜視図である。
【図３】同上器具の一部を切欠した要部正面図である。
【図４】従来品を示す使用状態時の要部斜視図である。
【符号の説明】
１    シスターン
２    操作レバー
３    排水弁
３ａ  天頂部
４    排水口
５    棒状部材
６    延長部材
８    折り曲げ部
８ａ  先端部
９    牽引部材
１０  フロート
【図１】
0004366752.tif 000002
【図２】
0004366752.tif 000003
【図３】
0004366752.tif 000004
【図４】
0004366752.tif 000005